(57)【特許請求の範囲】
【請求項１】
底壁（２０）、頂壁（１２，２５）、側壁（２２，２３）及び液体用入口開口（２）を有し、液無し部分が最小容積を有する際に最大充填状態を構成するように構成された測定容器（１）と、
第１の音響信号を上記測定容器（１）の液無し部分に発するための手段（Ｈ）と、
上記第１の音響信号に応答して上記測定容器（１）内に発生した第２の音響信号を記録するための手段（Ｍ）と、
上記第２の音響信号に基づいて、上記測定容器（１）内の現在の液量を決定するための手段（４５）と、を有する、患者からの液体の排出量を測定するための装置であって、
上記測定容器（１）は測定管（５）を有し、この測定管（５）は、第１開口（１４）と、第２開口（１５）と、第３開口（１６）とを有し、
上記第１開口（１４）は、上記測定管（５）内に液面（７）を構成するために、上記測定管（５）への液体の流入を許すように配置され、
上記第２開口（１５）は、いかなる時でも上記測定容器（１）の液無し部分と連通するように配置され、
上記第３開口（１６）は、上記第２音響信号を記録するための手段（Ｍ）と連通するように配置され、
上記第２開口（１５）及び上記第３開口（１６）は、上記測定管（５）内の液面（７）と共に、上記第２の音響信号を発生させる液無し共鳴チャンバーを構成することを特徴とする装置。
【請求項２】
更に、作動可能な連絡手段（９，１０）を経て上記測定容器（１）と流れ連通している収集容器（１１）を有し、この収集容器（１１）は上記測定容器（１）よりも大きい容積を有する、請求項１に記載の装置。
【請求項３】
上記連絡手段は、上記最大充填状態で上記測定容器（１）の排液を行うように構成される自動サイフォン機構を有する、請求項２に記載の装置。
【請求項４】
上記測定管（５）は、正しい取付け位置で実質的に鉛直方向に延び且つ上記測定容器（１）の底壁（２０）から上方に延びるように測定容器（１）内に配置されている円筒形第１部分と、実質的に円筒形の横分岐部と、を有し、
上記横分岐部の一端は上記円筒形第１部分で終り、その他端は上記第２開口（１５）を構成する、請求項１乃至３の何れか１項に記載の装置。
【請求項５】
第１の音響信号を測定容器（１）の液無し部分に付与するための上記手段（Ｈ）、第１の音響信号に応答して測定容器（１）内に発生した第２の音響信号を記録するための上記手段（Ｍ）、及び第２の音響信号に基づいて測定容器（１）内の現在の液量を決定するための上記手段（４５）は、測定ハウジング（４）内に取付けられ、
上記測定容器（１）の頂壁は、上記音響信号を伝達するためのダイヤフラム（１２）を有し、
上記測定ハウジング（４）は、上記音響信号を伝達するために、上記ダイヤフラム（１２）と係合して固着されるように構成される、請求項１乃至４の何れか１項に記載の装置。
【請求項６】
上記測定容器（１）は、第１開口（３２／３４）及び第２開口（３６）を有するガス充填温度補正管（３０）を更に有し、このガス充填温度補正管（３０）は、上記測定容器（１）内の液体と熱的な連結をなすように配置され、
上記ガス充填温度補正管（３０）内に発生した第３の音響信号を記録する手段（Ｍ）が配置され、
上記第１開口（３２／３４）は、上記ガス充填温度補正管（３０）が共鳴に対して励起されるように、音響信号を発するための上記手段（Ｈ）と音響連結をなして配置され、上記第２開口（３６）は、上記手段（Ｍ２）と連通するように配列される、
請求項１乃至５の何れか１項に記載の装置。
【請求項７】
上記第１開口（３２）は、いかなる時にも上記測定容器の液無し部分と連通するように配置され、上記ガス充填温度補正管（３０）は、正しい取付け姿勢で実質的に鉛直に延び且つ上記測定容器の底壁（２０）から上方に延びるように上記測定容器内に配置された円筒形第１部分と、実質的に円筒形の横分岐部と、を有し、この横分岐部の一端は、上記円筒形第１部分で終り、上記横分岐部の他端は、上記開口（３２）を構成する、請求項１乃至６の何れか１項に記載の装置。
【請求項８】
底壁（２０）、頂壁（１２，２５）、側壁（２２，２３）及び液体用入口開口（２）を有し、液無し部分が最小容積を有する際に最大充填状態を構成するように構成された測定容器（１）と、
第１の音響信号を上記測定容器（１）の液無し部分に発するための手段（Ｈ）と、
上記第１の音響信号に応答して上記測定容器（１）内に発生した第２の音響信号を記録するための手段（Ｍ）と、
上記第２の音響信号に基づいて、上記測定容器（１）内の現在の液量を決定するためのデータ処理電気装置（４５）と、
作動可能な連絡手段（９，１０）を経て上記測定容器（１）と流れ連通しており、上記測定容器（１）よりも大きい容積を有する収集容器（１１）と、を有し、上記連絡手段は、最大充填状態の上記測定容器（１）の排液を可能にする、装置を使用して、液体の排出量を測定する方法であって、
排液直前の上記測定容器内の液量の変化Ａtopについての第１データを上記データ処理電気装置によって決定する段階と、
排液直後の上記測定容器内の液量の変化Ｂbottomについての第２データを上記データ処理電気装置によって決定する段階と、
第１データの組と第２データの組とを使用して、上記測定容器への液体の排出量の見積りＶを上記データ処理電気装置によって決定する段階と、を有する方法。
【請求項９】
上記見積りＶは、Ｔを排液の持続時間として、Ｖ＝（Ｔ＊Ａtop＋Ｔ＊Ｂbottom）／２のように決定する、請求項８に記載の方法。
【請求項１０】
上記測定容器（１）は測定管（５）を有し、この測定管（５）は、
第１開口（１４）と、第２開口（１５）と、第３開口（１６）とを有し、
上記第１開口（１４）は、上記測定管（５）内に液面（７）を構成するために、上記測定管への液体の流入を許すように配置され、
上記第２開口（１５）は、いかなる時にも上記測定管の液無し部分と連通するように配置され、
上記第３開口は、第２音響信号を記録するための上記手段（Ｍ）と連通するように配置され、
上記第２開口（１５）及び上記第３開口（１６）は、測定管内の液面（７）と共に、上記第２音響信号を発生させる液無し共鳴チャンバーを構成する、請求項８又は９に記載の方法。
【請求項１１】
上記連絡手段は、自動開放サイフォン機構（９，１０）を有する、請求項８乃至１０の何れか１項に記載の方法。
【請求項１２】
患者からの液体の排出量を測定するための測定容器であって、
底壁（２０）と、音響信号を伝達する薄肉のダイヤフラムを含む頂壁（１２，２５）と、側壁（２２，２３）と、液体用入口開口（２）と、を有し、
液無し部分が最小容積を有する際に最大充填状態を構成し、
更に、上記側壁の間の中心で延びるように配置された測定管と、を有し、この測定管は、第１開口（１４）と、第２開口（１５）と、第３開口（１６）とを有し、
上記第１開口（１４）は、上記測定管（５）内に液面（７）を構成するために、上記測定管（５）への液体の流入を許すように配置され、
上記第２開口（１５）は、いかなる時でも上記測定容器（１）の液無し部分と連通するように配置され、
上記第３開口（１６）は、上記ダイヤフラム（１２）に面する、測定容器。
【請求項１３】
上記測定管（５）は、実質的に鉛直に且つ上記測定容器の底壁（２０）から上記側壁（２２，２３）の中心で延び、上記開口（１４，１６）で終る円筒形第１部分と、実質的に円筒形の横分岐部（６）と、を有し、この横分岐部の一端は、上記円筒形第１部分で終り、上記横分岐部の他端は、上記開口（１５）で終る、請求項１１に記載の測定容器。
【発明の詳細な説明】
【０００１】
本発明は患者からの液体、特に尿の流れを測定する装置に関する。更に詳細には、本発明は、底壁、頂壁、側壁を備え、液体用入口開口を有し、且つ液無し部分が最小容積を有する際に最大充填状態を構成するようになっている測定容器と、第１の音響信号を測定容器の液無し部分に発するための手段と、第１の音響信号に応答して測定容器内に発生した第２の音響信号を記録するための手段と、第２の音響信号に基づいて測定容器内の現在の液量を決定するための手段と、を有している上記種類の装置に関する。
【０００２】
本発明は又、特許請求の範囲の請求項８の導入部分に構成された種類の、患者からの液体、特に尿の流れを測定する方法に関する。
【０００３】
例えば、米国特許第 4,658,834号が、既に、この種類の装置を開示している。しかしながら、既知の装置は、比較的大きく、装置の正確な動作を確保するために、特別に構成された装置用ハウジングを更に必要とすることが共通の特徴である。これらの不便並びにその他の問題は、本発明によって改善され、本発明においては、測定容器が、第１開口、第２開口及び第３開口を有している測定管を備え、第１開口は、測定管内に液面を構成するために、測定管への液体の流入を許すように配置され、第２開口は、いかなる時にも測定容器の液無し部分と連通するように配置され、第３開口は、第２の音響信号を記録するための手段と連通するように配置され、第２開口及び第３開口は、測定管内の液面と共に、第２の音響信号を発生させる液無し共鳴チャンバーを構成している。この装置によれば、いわゆるヘルムホルツ(Helmholz)の共鳴原理を使用することによって、測定が特に有利な仕方で行われ、又、この装置は、例えばこの原理を利用する他の装置よりもコンパクトであることによって、唯一のものである。
【０００４】
この装置に、所定環境の下で測定容器の自動的な排液を可能にする自動排液機構を更に備えさせることによって、行うべき測定のために非常に小さい容積しか必要としない更にコンパクトな測定容器の製造が可能になる。排液機構は、特許請求の範囲の請求項３に記載されたように構成されるのが特に好ましく、これにより、低コストの解決法を得る。
【０００５】
装置が特許請求の範囲の請求項４に記載されているように構成されるとき、測定管を測定容器内に完全に一体にし且つ最適なコンパクトさを備えた測定容器の製造が可能である。特許請求の範囲の請求項５に構成された解決法は、バクテリア汚染された部品を信号の発生及び受信手段並びに上記決定手段から分離したままにし、それにより、再使用可能な構成要素と使い捨て可能な構成要素とが区別されるようにした解決法を得ることを更に可能にする。
【０００６】
特許請求の範囲の請求項６及び７に記載されているように、測定容器が、ヘルムホルツの共鳴原理を利用する温度補正管を備えているとき、別な方法では所定の環境の下で不正確な測定を引き起こす液体の温度変動を、非常に有利な仕方で補償することを可能にする。
【０００７】
温度補正管にはガスが充填され、このガスは空気であるのが好ましい。
【０００８】
本発明は又、特許請求の範囲の請求項８に記載されているように、ヘルムホルツの共鳴原理を利用し且つ測定容器が定期的に排液される装置における正確な測定値を得るための有利な方法に関し、実際に排液されている間の測定容器への流入の見積りが行われる。特に好都合な見積りは、特許請求の範囲の請求項９に記載されているように行われる。
【０００９】
図１は、患者からの尿の排出量を測定するための装置を示しており、この装置は、患者からの尿がホース３及び管２を経て供給される測定容器１を有している。ホース３は、患者に挿入されるカテーテルの一部を構成するのが良く、そのようにすると、尿の供給は、典型的には、ある時間にわたってほぼ連続的に行われる。測定容器は、例えば病院ベッドにブラケット(図示せず)によって取付けられるようになっており、測定容器は、図面に示したように、正しい取付け姿勢に合わせられる。測定容器は更に、尿収集容器１１に連結されている。測定容器１及び尿収集容器１１は、患者からの流れの測定が終わると廃棄されるので、これらの２つの部品が、典型的には、使い捨て部品であることが認識されよう。測定容器１の側壁２２は、圧力平衡を許す大気への小開口３’を有している。
【００１０】
管２は測定容器１の底壁２０で終わっており、測定容器１は、好ましくはほぼ四辺形横断面を有するように、鉛直方向壁２２、２３によって更に構成されている。加えて、測定容器１は上方が頂壁２５によって構成され、頂壁２５は、液密且つ気密なシート１２で覆われた開口を有し、それにより、以下の説明から明らかになるように、装置を使用するに当たって、装置のソイル又は汚れ側とクリーン又は清潔側との間の信頼できるバクテリア密な境界を確保する。
【００１１】
別の測定ハウジング４が、測定容器１の外側に当接し且つシート１２と連結をなして構成され、この別の測定ハウジング４は図示していない係合手段によって測定容器１にしっかりと、しかし解放可能に連結されている。測定ハウジング４は、装置のクリーン側の一部を構成し、シート１２は、測定ハウジング４を測定容器１内の内容物から分離し、従って、測定ハウジング４は繰り返し使用される。測定ハウジング４は、ラウドスピーカー(Ｈ)と、マイクロフォン(Ｍ)と、メモリ４５並びに外側から見ることができるディスプレイを備えた制御及びデータ処理電気装置(マイクロプロセッサー)と、好ましくは電池で構成された電源と、によって構成された測定装置を有する。ラウドスピーカー(Ｈ)は音響信号を発するように構成され、音響信号はシート１２を経て測定容器１の内部に伝達され、マイクロフォンは、ラウドスピーカーからの信号に応答して測定容器１内の所定領域に発生した音響信号を記録するように構成されている。正しい取付け状態では、マイクロフォン及びラウドスピーカーは比較的しっかりとシートに係合し、シートは、装置の音響特性に顕著な影響を及ぼさないように、比較的薄く且つ軟らかいのが好ましいことが認識されよう。その上、測定ハウジング４はキーを有するのが好ましく、装置の使用者、典型的には病院の看護スタッフは、いかなる時でも、このキーによって、選択された時間内、例えば直前の１５分又は３０分以内の、メモリ４５に記憶されているデータに基づく測定容器１への確定した液体流入量を要求することができ、次いで、これらの値はディスプレイに表示される。
【００１２】
測定容器１の内部は、長手方向軸線を有する細長い測定管５を収容し、装置が正しい取付け姿勢であれば、測定管５は、測定容器１内の液面７とほぼ垂直に延びるのが好ましく、測定容器の底壁２０のすぐ上に配置された第１開口１４を有している。測定管５は、底壁２０と反対側の測定管５端部に配置された横分岐部６を更に有し、ここで第２の更なる開口１５で終る。更に、測定管５用の第３開口１６が第１開口１４に対向して設けられ、この第３開口１６は、測定ハウジング４が測定容器１に固着されるときにマイクロフォンＭと整列するように位置決めされている。この位置では、第３開口１６は、干渉ノイズを回避するために、シート１２に密接して係合するのが好ましい。図示の実施形態では、第１開口１４と第３開口１６との間に延びている測定管５の部分は円筒形であるが、原理的には、測定管はいかなる形状を有していても良い。ここでは、構成要素５が円筒管のように構成されるように開示しているけれども、本発明の目的全体を満たす限り、非円形断面を有する構成要素のような任意適当な幾何学的形状を使用しても良い。
【００１３】
測定管５を備えた測定容器１の寸法を制限し、それにより、その製造コストを制限するために、測定容器１は、測定容器１を定期的に且つ自動的に排液させる装置を更に有する。排液装置即ち排液機構は、好ましくは、上方に開口した管９と、この管９を包囲するように配置された管１０とを有し、この管１０は下方に開口し、上方端部１８が閉じられている。管１０の上方端部１８は、好ましくは、測定管５の横分岐部１６よりも下にあり、それと間隔を隔てている。排液装置がサイフォンのように作動すること、及び、測定容器１内の液体レベル７が内管９の開口端よりも上に増すと測定容器１が排液されることが認識されよう。排液中、測定容器１内の液体は、内管９を通して収集バッグ１１に搬送され、この収集バッグ１１は、在来の取外し可能／置換可能な型式のものであり、例えば２４時間の間に患者が排出した尿の総量を収集することができる。空気が測定容器から内管９と外管１０との間に内方に流れるまで、排液は続く。かくして、排出された尿は測定容器の中を流れるに過ぎず、それにより、測定容器の寸法を、以下に更に完全に説明する測定原理に従って最小に制限することができることが認識されよう。説明した自動排液装置は、本装置の使用に当たって必ずしも必要ではない、というのは、変形例として、看護スタッフが測定容器１の中身を収集容器１１に流すのを許す手動バルブが設けられていても良いからである。しかしながら、排液が短い間隔で行われるであろう事実に照らせば、そのような解決法が比較的不便であることは明らかであろう。
【００１４】
本装置は以下の仕方で作動する。測定容器の２つの連続する排液と排液との間及び実際の排液中、尿はホース３を経て測定容器１に流入し、それにより、測定容器の液体レベル７は増す。液体は又、管５にも流入し、その結果、測定管５内の液体の高さは測定容器１内の測定管５の外側の液体の高さ７と一致する。測定管５は、管９及び１０と共に、測定容器１の壁又は頂壁と連結されている保持リブによって測定容器の中心に配置されるのが好ましく、その結果、測定管５内の液体レベルは、例えば病院ベッドの測定容器１の不正確な斜めの姿勢に対して比較的敏感でない。測定管５内の液面と、底壁の反対側の測定管第３開口１６との間の領域には、図１にハッチングで示されている明確な容積を有する空気充填領域があり、測定容器への液体の流入の間、即ち、測定管５内の液体レベルが増しているとき、この容積は徐々に減少する。この容積の変化は測定容器への流入の測定に役立つことが認識され、かくして、本発明に従って、測定容器への流入がこの容積の現在の記録値によって測定される。
【００１５】
更に詳細には、この記録は、測定管５の共鳴周波数が測定管５内の空気充填領域の容積に依存するヘルムホルツ共鳴器の原理を利用することによって行われている。かくして、所定時刻の共鳴周波数を決定し、測定管５内の現在の液体高さをデータ加工処理電気装置の較正に基づいて決定し、それにより、所定期間(ｔ1−ｔ2)の液体の流入量を、ｔ1及びｔ2それぞれについての液体高さの記録を比較することによって決定することができる。所定周波数間隔で変化する、即ち、スイープする短い音響信号を所定時間間隔で発するラウドスピーカーＨの共鳴周波数に対して、測定管５を励起させる。所定周波数間隔は、空の状態の測定管５即ち測定容器１の排液直後の共鳴周波数と、充填状態の測定管５即ち測定容器１の排液直前の共鳴周波数との間にあるように決定されるのが良い。測定容器の寸法を、ラウドスピーカーがこの間隔の間に測定管５内に共鳴を引き起こすように選択すべきことに気付くはずである。
【００１６】
最初に述べたように、ラウドスピーカーＨは測定ハウジング４内に配置されており、ラウドスピーカーは、音響信号を液面７よりも上の測定容器の液無し部分にカバーシート１２を介して発することが認識されよう。そこから、音響信号は測定管５の横分岐部６に伝搬し、それにより、ラウドスピーカーの周波数が測定管５の共鳴周波数と正確に一致するとき、測定管５の共鳴周波数が横分岐部６を経て励起される。かくして、ラウドスピーカー信号に応答して、更なる即ち第２の音響信号が発生する。開口１６は、干渉ノイズを回避すべくシート１２と非常に近接して係合しているのが好ましいことを再び述べておく。上述の電池のエネルギー消費を減少させ、それにより、電池の寿命を延ばすために、スイープ範囲の制限を、データ加工処理電気装置４５に記録されている限られた経験的な値の中で変化するように選択的に決定するのが良く、これらの値は、例えば、前に記録した測定管５内のそのときの液体高さの値に依存するのが良い。
【００１７】
上述したように、測定ハウジング４は、シート１２より上の測定管５の第３開口１６のすぐ近くに配置されたマイクロフォンＭを有し、このマイクロフォンＭは、測定管５内で発生した音信号を録音する。測定管５の共鳴周波数が励起されると、マイクロフォンが受信している信号はその特性が変化し、このとき、データ加工処理電気装置４５は測定管５の共鳴周波数を記録し、この着目している周波数の値を液体高さの表現に変換する。選択的には、このとき既に、直前の記録から容器への流入量を計算してしまっても良い。行うべき計算は、メモリ４５に記憶されている較正データに基づいてなされ、その結果、液体高さの値への上述した変換を行うことができることが認識されよう。典型的な関係を図２に示す。
【００１８】
測定容器１の寸法が比較的小さくするのが好ましいとき、装置の使用中、測定容器は短い間隔で排液される。かくして、測定容器は、容積約１７５ｍｌに相当する約７５ｘ７５ｘ３０ｃｍの寸法を有し、測定容器が７５％充填されたとき、排液機構が測定容器の排液を引き起こすようになっているのが良い。５００ｍｌまで構成されることがある時間利尿があれば、これは１時間当たり約４回までの排液を生じさせる。使用中のいかなる時にも装置の性能を確保しなければならないとき、即ち、例えば１−５分の間のような所定期間(ｔ1−ｔ2)内に排液が起こるか否かとは無関係に装置の性能を確保しなければならないとき、５−１０秒の持続期間Ｔを有する排液中に測定容器１に流入した液体の総量Ｖを見込むことができることも必要である。これは、図３に示すように、排液直前の測定容器内の液量の変化についての第１データと、排液直後の測定容器内の液量の変化についての第２データと、に基づいて、流入量を見積もることによって行われる。これらの２つの値の平均を決定し、この平均と排液の持続期間Ｔとを掛け算することによって、Ｖの見積りを決定することができる。図３では、測定容器１内の液量を時間の関数として示し、Ａtop及びＢbottomはそれぞれ、好ましくは第１データ及び第２データを構成する曲線の勾配を指示する。加工処理電気装置は、測定管５内の液体レベルが所定の値をとるとき、即ち、排液の直前及び直後の測定管５の液体レベルに対応する時刻ｔ1A、ｔ2A及びｔ1B、ｔ2Bに実行された測定値に基づいて、これらの勾配を決定するようにプログラムされるのが良い。
【００１９】
測定管の共鳴周波数は空気中の音速に依存し且つこの音速は空気の温度に依存するので、装置の正確さの向上を達成するために、一般的には測定容器を加熱させる流入液体の温度によって引き起こされた温度変動を見積もるのが好都合である。本発明によれば、これらの温度変動は、図４に示すように、開口３２を有する横分岐部即ち測定ハウジング４内に突出する開口３４を有する分岐部を経て選択的に励起される更なる共鳴器管３０を有することによって補償される。共鳴器管３０は下方が閉じられ、好ましくは、その下端が測定容器１の底壁に真っ直ぐ下に延びている。しかしながら、所望ならば、管３０の下端を、いかなる時にも液が無い測定容器１の部分に配置しても良い。実際には、この用途に従って、ちょうど１つの横分岐部を有する管３０を構成するように決定されていることが認識されよう。かくして、ある状況では、装置の起こり得る振動により、管３０への液体の意図しない流入を引き起こすことがあるので、測定容器１で終る横分岐部１を使用することがあまり便利でないことがある。更に、共鳴器管３０は、マイクロフォンＭ2の方に面する更なる開口３６を有する。原理的には、図４に示す構造は図１に示した装置と同じサブ構成要素を有し、測定ハウジング４と測定容器１との間のシールを形成するシートダイアフラムを含んでおり、マイクロフォンＭ2はこのシートダイアフラムと係合している。
【００２０】
図４に示す装置の使用の際、共鳴器管３０内の空気は、液体と共鳴器管３０の壁との間の熱伝導のため、或いは、(もし横分岐部３２が使用されているならば、)対流による液体表面からの直接の熱伝達のため、液体の温度と一致する温度に加熱される。共鳴器管３０は一定長さを有し、それにより、明確な容積を有しているので、この共鳴器管は同様にラウドスピーカーからの音響信号によって共鳴を引き起こし、この共鳴周波数は共鳴器管３０内の空気速度、従って、共鳴器管３０内の空気温度だけに依存する。測定管３０についての共鳴周波数を決定するために、測定管３０と関連したマイクロフォンＭ2が、データ加工処理電気装置４５と共に、測定管５用にちょうど説明したように使用されており、測定された共鳴周波数は液体の支配的な温度の表現である。次いで、メモリ４５に記憶されているデータによって、測定管５内の液体高さの記録値を測定温度に従って補正することが可能である。
【００２１】
図４に示す測定容器は、尿供給管２の変形構造によって特徴づけられている。ここでは、尿供給管２には、フィルターが形成され、このフィルターは、図示のように、排液機構の詰まりを引き起こすことがある尿内の凝固血液の内容物を供給管２内に保持するように寸法決めされた細長いスロット形出口のように、簡単に形づくられるのが好ましい。図示の実施形態では、排液機構はオーバーフロー管１０’を有し、このオーバーフロー管１０’は、いかなる時にも容器の排液を外部作動バルブ１０''を経て許すことが可能な横分岐部を備えている。例えば、もし間違いによって、装置を垂直な直立姿勢から移動させても、バッグ１１(図示せず)内の排液機構の出口に配置された１方向バルブ９''が、尿の逆流を防止する。
【００２２】
図５は、測定容器１と測定ハウジング４との連結部の、マイクロフォンＭ及び測定管５の領域の拡大断面を示しており、測定管５は、この実施形態に示すように、測定容器１の頂壁２５と一体に形成されている。測定ハウジング４の底壁４’はマイクロフォンＭ、Ｍ2及びラウドスピーカーＨのそれぞれの開口を有し、図面において、１つのそのような開口４''をマイクロフォンＭよりも下に且つ測定管の第３開口１６よりも上に示している。例えばフォームプラスチックの周囲シールリング２６が、開口４''の周りに延び、開口４''は、選択的には、図示のようにリブによって保護されるのが良く、周囲シールリング２６は、マイクロフォンＭと測定管５との間の隙間のない連結を形成するのに役立つ。図面は又、シート１２によって形成されたダイヤフラムを示し、このダイヤフラムは、測定容器１の上端を形成している。
【図面の簡単な説明】
【図１】  本発明による装置の横断面図である。
【図２】  測定容器内の高さレベルとして表される液量に対する共鳴周波数の変化の例を示す。
【図３】  排液中の測定容器への流入を見積もる方法を示す。
【図４】  図１に示した装置を、温度補償装置を備えた変更例で示す。
【図５】  測定容器と測定ハウジングとの間の連結領域の拡大断面図である。
【図１】
0004375905.tif 000002
【図２】
0004375905.tif 000003
【図３】
0004375905.tif 000004
【図４】
0004375905.tif 000005
【図５】
0004375905.tif 000006